(57)【要約】      （修正有）【課題】任意の装飾物を扉に容易に設置することができて装飾の自由度に富み、また、扉開閉時にその動きと衝撃に拘わらず装飾物が落下しない新規な扉を提供する。【解決手段】扉１は、扉本体２と、扉本体に設けられた棚７と、棚７の上方の装飾物設置用空間の周囲を囲む透視性の囲い８とを備える。棚７は、扉本体２の中間高さ位置に設けられ、扉本体２の前側に突出する主棚板と、扉本体２の後側に突出する副棚板とからなる。透視性の囲い８は、金属線製の格子材よりなる。扉１は、さらに装飾物設置用空間の上方を左右に延びる規制部材９を備える。【選択図】図１
0003189726.tif 000002
【実用新案登録請求の範囲】
【請求項１】
扉本体（２）と、扉本体に設けられた棚（７）と、棚の上方の装飾物設置用空間（Ｓ）の周囲を囲む透視性の囲い（８）とを備えた扉。
【請求項２】
棚（７）は、扉本体（２）の前後両側に突出するものである請求項１記載の扉。
【請求項３】
透視性の囲い（８）は、金属線製の格子材よりなる請求項１又は２記載の扉。
【請求項４】
装飾物設置用空間（Ｓ）の上方を左右に延びる規制部材（９）を備えた請求項１、２又は３記載の扉。
【考案の詳細な説明】
【技術分野】
【０００１】
本考案は、柵、塀、門、垣根等の区画体を通過できるように開閉するための扉に関するものである。
【背景技術】
【０００２】
土地の境界に設けられて土地を区画する柵、塀、門、垣根等の区画体には、その区画体を通過できるように開閉するための扉が設けられる。この扉は、一般的には開閉機能に徹した簡素な構造のものが多いが、デザインを重視して装飾を施したものもある。
【０００３】
例えば、特許文献１には、門扉本体に窓部を設け、その窓部の窓枠に、門扉本体の平均的厚みより厚みが厚く立体的に形成された金属製のマスコット飾りを取付けた門扉が記載されている。
【０００４】
また、特許文献２には、外枠の内側に植物の茎や葉を模した装飾桟を配し、その装飾桟の一部分に形成された円形中空部にガラス製の装飾体を嵌合装着した門扉が記載されている。
【先行技術文献】
【特許文献】
【０００５】
【特許文献１】特開２００１−３４９１０１号公報
【特許文献２】特開２００３−７４２７７号公報
【考案の概要】
【考案が解決しようとする課題】
【０００６】
しかし、従来の装飾を施した扉は、装飾物が固定されて不変的に設けられていたため、装飾の自由度が乏しかった。仮に、使用者が、任意の装飾物を扉に取り付けたい場合には、その装飾体を扉に対しひもで縛り付けたりフックで引っ掛けたりする必要があった。ひもで縛り付けるのは、面倒であった。フックで引っ掛けると、扉開閉時にその動きと衝撃で装飾体が落下するおそれがあった。
【０００７】
そこで、本考案の目的は、任意の装飾物を扉に容易に設置することができて装飾の自由度に富み、また、扉開閉時にその動きと衝撃に拘わらず装飾物が落下しない新規な扉を提供することにある。
【課題を解決するための手段】
【０００８】
上記課題を解決するため、本考案の扉は、扉本体と、扉本体に設けられた棚と、棚の上方の装飾物設置用空間の周囲を囲む透視性の囲いとを備えることを特徴とするものである。
【０００９】
この扉によれば、任意の装飾物を棚の上に単に載せるだけで容易に設置することができ、その装飾物を透視性の囲いを通して見て楽しむことができる。また、その装飾物を囲いが囲むので、扉開閉時にその動きと衝撃に拘わらず装飾物が落下しない。
【００１０】
さらに、本考案の扉は、装飾物設置用空間の上方を左右に延びる規制部材を備えることが好ましい。棚の上に載せたる装飾物が扉開閉時の衝撃で跳ね上がったときに、規制部材がその跳ね上がりを規制して、装飾物の落下をさらに防止できるからである。また、規制部材に別の装飾物を取り付けられるようになる。 
【考案の効果】
【００１１】
本考案によれば、任意の装飾物を扉に容易に設置することができて装飾の自由度に富み、また、扉開閉時にその動きと衝撃に拘わらず装飾物が落下しない新規な扉を提供することができる。
【図面の簡単な説明】
【００１２】
【図１】本考案を具体化した実施例の扉の斜視図である。
【図２】同扉の要部を拡大した斜視図である。
【考案を実施するための形態】
【００１３】
扉は、扉本体と、扉本体に設けられた棚と、棚の上方の装飾物設置用空間の周囲を囲む透視性の囲いとを備える。
【００１４】
１．扉本体は、
扉本体の構造は、特に限定されず、板材、格子材、枠材等又はそれらの併用からなるものを例示できる。扉本体の材料も、特に限定されず、金属、木、樹脂等又はそれらの併用を例示できる。
【００１５】
２．棚
棚の構造は、特に限定されず、板材、格子材、ブロック材等又はそれらの併用からなるものを例示できる。棚の材料も、特に限定されず、金属、木、樹脂等又はそれらの併用を例示できる。
棚の高さ位置は、特に限定されず、扉本体の最上位置、中間高さ位置、最下位置のいずれでもよいし、その複数位置に設けてもよい。
棚の前後位置は、特に限定されず、扉本体の前側のみに突出、後側のみに突出、前後両側に突出のいずれでもよいが、前後両側に突出させると、前後一方への突出量を小さくでき、バランスも良いので好ましい。
【００１６】
３．透視性の囲い
透視性の囲いは、囲いを通して棚の上の装飾物が視認できる透視性を備えたものであり、その構造は、特に限定されず、格子の目を通して視認できる格子材からなるものや、材料自体を通して視認できる透明板材からなるもの等を例示できる。格子材の材料としては金属、木、樹脂等を例示でき、透明板材の材料としては樹脂、ガラス等を例示できる。
この囲いの平面視形状は、特に限定されず、前後２つの湾曲した部材からなる舟形状、前後左右の部材からなる四角形状、円形状等を例示できる。
【００１７】
４．規制部材
規制部材の構造は、特に限定されず、パイプ材、棒材、板材、網材等又はそれらの併用からなるものを例示できる。これらの材料としては金属、木、樹脂等又はそれらの併用を例示できる。
【実施例】
【００１８】
本考案の実施例を、図１及び図２を用いて説明する。
土地の境界に設けられて土地を区画する柵、塀、門、垣根等の区画体２０には、端材２１と端材２２との間に通過用空間が設けられ、その通過用空間を開閉する扉１が一方の端材２１に蝶番５により取り付けられている。
【００１９】
扉１は、扉本体２と、扉本体に設けられた棚７と、棚７の上方の装飾物設置用空間Ｓの周囲を囲む透視性の囲い８とを備える。
【００２０】
扉本体２は、金属角パイプ製のフレーム３の内側に金属線製の格子材４を取り付けてなる格子扉であり、フレーム３の左右の一方側に前記蝶番５が設けられ、他方側に取っ手６が設けられている。
【００２１】
棚７は、扉本体２の中間高さ位置に設けられ、フレーム３の間に取り付けられて扉本体２の前側に突出する主棚板７ａと、主棚板７ａの左右方向中央部から扉本体２の後側に突出する副棚板７ｂとからなる。
【００２２】
透視性の囲い８は、棚７より上の前記金属線製の格子材４を後方へ湾曲させてなる後部材８ｂと、別の金属線製の格子材を前方へ湾曲させてなり棚７に立設した前部材８ａとからなる、平面視舟形状のものである。
【００２３】
さらに、棚７には、棚７の左右部から立って装飾物設置用空間Ｓの上方を左右に延び、全体がアーチ状をなす、金属パイプ製の規制部材９が取り付けられている。
【００２４】
また、区画体２０の端材２１の上端には台板２３が取り付けられ、台板２３の上には格子材よりなる囲い２４が取り付けられ、囲い２４の前面には装飾板２５が取り付けられている。
【００２５】
本実施例の扉１によれば、任意の装飾物Ｄ（例えば図１に示すような陶器製の人形）を、棚７の上に単に載せるだけで容易に設置することができ、その装飾物Ｄを透視性の囲い８を通して見て楽しむことができる。また、その装飾物Ｄを透視性の囲い８が囲むので、扉１の開閉時にその動きに拘わらず装飾物Ｄが落下しない。
【００２６】
また、その装飾物Ｄが、扉１の開閉時の衝撃で跳ね上がったときには、規制部材９がその跳ね上がりを規制するため、装飾物Ｄの落下をさらに防止できる。また、規制部材９には、別の装飾物Ｅを取り付けることもできる。
【００２７】
さらに、扉１だけでなく区画体２０に対しても、端材２１の台板２３の上に別の装飾物Ｆを載せることにより装飾することができ、囲い２４によりその落下を防止できる。
【００２８】
なお、本考案は前記実施例に限定されるものではなく、考案の趣旨から逸脱しない範囲で適宜変更して具体化することができる。
【符号の説明】
【００２９】
１    扉
２    扉本体
３    フレーム
４    格子材
５    蝶番
６    取っ手
７    棚
７ａ  主棚板
７ｂ  副棚板
８    囲い
８ａ  前部材
８ａ  後部材
９    規制部材
【図１】
0003189726.tif 000003
【図２】
0003189726.tif 000004